(57)【要約】【課題】水を吐き出す吐水口の総開口面積を切り替えるうえで必要な部品の点数を抑えられる吐水装置を提供する。【解決手段】通水路２５が内部に形成される吐水部材２０と、通水路２５に供給される水を吐き出すための吐水口４１が形成される複数の吐水部３１と、通水路２５に供給される水の水圧又は流量に応じて変位する単一の弁体７０と、を備え、吐水部材２０の内部には、複数の吐水部３１のいずれかの吐水口４１に連通される連通路５７が複数形成され、弁体７０の変位により複数の連通路５７のそれぞれに対する通水の有無が切り替えられるように構成されることを特徴とする。【選択図】図１
2015188621.tif 000002
【特許請求の範囲】
【請求項１】
通水路が内部に形成される吐水部材と、
前記通水路に供給される水を吐き出すための吐水口が形成される複数の吐水部と、
前記通水路に供給される水の水圧又は流量に応じて変位する単一の弁体と、を備え、
前記吐水部材の内部には、前記複数の吐水部のいずれかの吐水口に連通される連通路が複数形成され、
前記弁体の変位により前記複数の連通路のそれぞれに対する通水の有無が切り替えられるように構成されることを特徴とする吐水装置。
【請求項２】
前記複数の連通路は、前記弁体が移動可能な空間に向けてそれぞれの流入口が開口し、それらの流入口が前記弁体の変位方向に沿って並べて形成されることを特徴とする請求項１に記載の吐水装置。
【請求項３】
前記弁体の変位量に応じて前記複数の吐水部からの吐水範囲が一方向に増減するように構成されることを特徴とする請求項１または２に記載の吐水装置。
【請求項４】
前記複数の連通路に対する通水の有無の切り替えにより、前記複数の吐水部からの吐水パターンを３段階以上に切り替え可能であり、
前記複数の吐水パターンそれぞれの取り得る流速範囲について、１段目の吐水パターンでは予め定められる上限値以下となり、最後段の吐水パターンでは予め定められる下限値以上となり、途中段の吐水パターンでは前記下限値以上前記上限値以下となるように、前記吐水口の開口面積が定められることを特徴とする請求項１から３のいずれかに記載の吐水装置。
【請求項５】
前記複数の連通路に対する通水の有無の切り替えにより、前記複数の吐水部からの吐水パターンを３段階以上に切り替え可能であり、
前記複数の吐水パターンそれぞれの取り得る流速範囲について、２段目以上の途中段の吐水パターンでは、それらの最大値が一つ前段での吐水パターンの最大値より低くなり、３段目以上の吐水パターンでは、それらの最小値が１つ前段での吐水パターンの最小値より低くなるように、前記吐水口の開口面積が定められることを特徴とする請求項１から３のいずれかに記載の吐水装置。
【請求項６】
前記複数の連通路に対する通水の有無の切り替えにより、前記複数の吐水部からの吐水パターンを３段階以上に切り替え可能であり、
前記複数の吐水パターンそれぞれの取り得る流速範囲について、２段目以上の吐水パターンでは、それらの最小値が一つ前段の吐水パターンの最大値より高くなるように、前記吐水口の開口面積が定められることを特徴とする請求項１から３のいずれかに記載の吐水装置。
【発明の詳細な説明】
【技術分野】
【０００１】
本発明は、浴室、流し台、洗面台等で使用される吐水装置に関する。
【背景技術】
【０００２】
シャワー装置等の吐水装置では、複数の吐水口がシャワーヘッド等の吐水部材に設けられ、その内部に水が供給されると各吐水口からシャワー水が吐き出される。この内部に供給される水の流量が少なすぎると、シャワー水の流速が遅くなりすぎ、その当たり具合が弱くなることで使用感に欠けることがある。逆に、流量が多すぎると、シャワー水の流速が速くなりすぎ、肌への刺激が強すぎたり、水はねが生じ易くなったりする。
【０００３】
この対策として、特許文献１では、シャワーヘッドの内部に水圧を受けて変位する弁体を設け、その変位により水を吐き出す吐水口の総開口面積を増減する構造が提案されている。小流量のときは吐水口の総開口面積を減らし、流量変化に対する流速変動の割合を高め、当たり具合が良好な流速にし易くなる。また、大流量のときは吐水口の総開口面積を増やし、流量変化に対する流速変動の割合を抑え、肌への刺激や水はねを抑えた流速にし易くなる。
【先行技術文献】
【特許文献】
【０００４】
【特許文献１】特開２０００−２６２４２７号公報
【発明の概要】
【発明が解決しようとする課題】
【０００５】
特許文献１の構造では、水を吐き出す吐水口の総開口面積を２段階に切り替えるために、弁体、隔壁、ばねを一単位としたユニットが用いられる。また、特許文献１では、これを３段階以上に切り替えるために、その切替数と同数のユニットを必要としている。よって、部品点数の増大により、装置全体の大型化や製造コストの増加を招いていた。
【０００６】
本発明は、このような課題に鑑みてなされ、その目的は、水を吐き出す吐水口の総開口面積を切り替えるうえで、必要な部品の点数を抑えられる吐水装置を提供することにある。
【課題を解決するための手段】
【０００７】
上述の課題を解決するために、本発明のある態様は、吐水装置に関する。通水路が内部に形成される吐水部材と、通水路に供給される水を吐き出すための吐水口が形成される複数の吐水部と、通水路に供給される水の水圧又は流量に応じて変位する単一の弁体と、を備え、吐水部材の内部には、複数の吐水部のいずれかの吐水口に連通される連通路が複数形成され、弁体の変位により複数の連通路のそれぞれに対する通水の有無が切り替えられるように構成されることを特徴とする。
この態様によれば、各連通路の通水の有無を単一の弁体により切り替えられ、水を吐き出す吐水口の総開口面積を３段階以上に切り替えるうえで複数の弁体が不要となる。
【０００８】
また、前述の態様において、複数の連通路は、弁体が移動可能な空間に向けてそれぞれの流入口が開口し、それらの流入口が弁体の変位方向に沿って並べて形成されてもよい。
この態様によれば、弁体が変位したとき、各連通路の流入口が弁体により開閉される。よって、複雑な機構を要さずに各連通路の通水の有無を切り替えられる。
【０００９】
また、前述の態様において、弁体の変位量に応じて複数の吐水部からの吐水範囲が一方向に増減するように構成されてもよい。
この態様によれば、吐水部材からの吐水範囲を使用者が目視で容易に確認でき、現在の水圧又は流量を使用者がおおよそ把握できる。
【００１０】
また、前述の態様において、複数の連通路に対する通水の有無の切り替えにより、複数の吐水部からの吐水パターンを３段階以上に切り替え可能であり、複数の吐水パターンそれぞれの取り得る流速範囲について、１段目の吐水パターンでは予め定められる上限値以下となり、最後段の吐水パターンでは予め定められる下限値以上となり、途中段の吐水パターンでは下限値以上上限値以下となるように、吐水口の開口面積が定められてもよい。
この態様によれば、各吐水パターンでの流速範囲の偏りを小さくできる。
【００１１】
また、前述の態様において、複数の連通路に対する通水の有無の切り替えにより、複数の吐水部からの吐水パターンを３段階以上に切り替え可能であり、複数の吐水パターンそれぞれに取り得る流速範囲について、２段目以上の途中段の吐水パターンでは、それらの最大値が一つ前段での吐水パターンの最大値より低くなり、３段目以上の吐水パターンでは、それらの最小値が１つ前段での吐水パターンの最小値より低くなるように、吐水口の開口面積が定められてもよい。
この態様によれば、各吐水パターンでの流速範囲の上限値や下限値が徐々に下がるような流速特性にできる。
【００１２】
また、前述の態様において、複数の連通路に対する通水の有無の切り替えにより、複数の吐水部からの吐水パターンを３段階以上に切り替え可能であり、複数の吐水パターンそれぞれの取り得る流速範囲について、２段目以上の吐水パターンでは、それらの最小値が一つ前段の吐水パターンの最大値より高くなるように、吐水口の開口面積が定められてもよい。
この態様によれば、各吐水パターンでの流速範囲の上限値や下限値が徐々に上がるような流速特性にできる。
【発明の効果】
【００１３】
本発明によれば、水を吐き出す吐水口の総開口面積を切り替えるうえで必要な部品の点数を抑えられる。
【図面の簡単な説明】
【００１４】
【図１】第１実施形態に係る吐水装置を示す部分断面側面図である。
【図２】第１実施形態に係る散水部材の外観を示す正面図である。
【図３】第１実施形態に係る吐水装置の通水路に水が供給されたときの水の流れを示す図である。
【図４】第２実施形態に係る吐水装置を示す部分断面側面図である。
【図５】第２実施形態に係る散水部材の外観を示す正面図である。
【図６】第２実施形態に係る吐水装置の通水路に水が供給されたときの水の流れを示す図である。
【図７】第３実施形態に係る散水部材の外観を示す正面図である。
【図８】第４実施形態に係る吐水装置を示す部分断面側面図である。
【図９】第５実施形態に係る吐水装置を示す正面図である。
【図１０】第５実施形態に係る吐水装置を示す部分断面側面図である。
【図１１】第５実施形態に係る吐水装置の通水路に水が供給されたときの水の流れを示す図である。
【図１２】第６実施形態に係る吐水装置の外観を示す正面図である。
【図１３】第６実施形態に係る吐水装置を示す正面断面図である。
【図１４】第７実施形態に係る吐水装置の外観を示す正面図である。
【図１５】図１４のＡ−Ａ線断面図である。
【図１６】第８実施形態に係る吐水装置を示す部分断面側面図である。
【図１７】第８実施形態に係る吐水装置の制御系を示す機能ブロック図である。
【図１８】第９実施形態に係る吐水装置を示す部分断面側面図である。
【図１９】第１実施形態に係る吐水部材の通水路に水が供給されたときの流量と流速の関係を示すグラフである。
【図２０】第１変形例に係る吐水部材の通水路に水が供給されたときの流量と流速の関係を示すグラフである。
【図２１】第２変形例に係る吐水部材の通水路に水が供給されたときの流量と流速の関係を示すグラフである。
【発明を実施するための形態】
【００１５】
［第１の実施の形態］
図１は第１実施形態に係る吐水装置１０の部分断面側面図を示す。吐水装置１０は、吐水部材２０と、散水部材３０と、複数の隔壁５０と、弁体７０と、付勢部材８０を備える。
【００１６】
吐水部材２０はシャワーヘッドである。吐水部材２０は、把持部２１と、ヘッド部２３を有する。把持部２１は、吐水部材２０の基端側に設けられ、一方向Ｘに延びる筒状に形成される。ヘッド部２３は、吐水部材２０の先端側に設けられ、把持部２１の延びる方向Ｘと交差する方向Ｙに延びる有底筒状に形成される。使用者は、把持部２１を掴んだ状態で吐水部材２０を使用できる。以下、方向Ｘを横方向といい、方向Ｙを縦方向という。
【００１７】
把持部２１とヘッド部２３の内部には連続した内部空間が形成され、その内部空間の一部により通水路２５が形成される。ヘッド部２３には縦方向Ｙの一方に外内を連通する装着口２７が形成される。
【００１８】
吐水部材２０は、その基端部である把持部２１の端部がシャワーホース２９の一端部に接続される。シャワーホース２９は可撓性を有し、その他端部が水栓等の給水装置（図示せず）に接続される。吐水部材２０の通水路２５には給水装置からシャワーホース２９を介して給水される。
【００１９】
散水部材３０はヘッド部２３の装着口２７を塞ぐようにこれに装着される。散水部材３０は円盤状に形成される。散水部材３０は、第１吐水部３１Ａと、第２吐水部３１Ｂと、出水部３７を有する。
【００２０】
図２は散水部材３０の外観を示す正面図である。第１吐水部３１Ａは、散水部材３０の外周部に設けられる環状部分である。図２では二点鎖線Ｌ１と二点鎖線Ｌ２で挟まれた部位が第１吐水部３１Ａとなり、図１では二点鎖線Ｓ１で囲む範囲が第１吐水部３１Ａとなる。第２吐水部３１Ｂは、第１吐水部３１Ａの内周側に設けられる環状部分である。図２では二点鎖線Ｌ２と二点鎖線Ｌ３で挟まれた部位が第２吐水部３１Ｂとなり、図１では二点鎖線Ｓ２で囲む範囲が第２吐水部３１Ｂとなる。各吐水部３１Ａ、３１Ｂには、周方向に等角度間隔を空けて環状に配列される複数の吐水口４１が形成される。各吐水部３１Ａ、３１Ｂの吐水口４１は同心状に設けられる。出水部３７は散水部材３０の中央部に設けられ、その中央位置に通水口３９が形成される。
【００２１】
隔壁５０は、図１に示すように、有底筒状に形成され、円形筒状の縦壁部５１と、円形環状の横壁部５３を有する。複数の隔壁５０は入れ子構造となり、それぞれの縦壁部５１が同心状をなすように設けられ、内側の隔壁５０になるほど横壁部５３が散水部材３０に近づくように設けられる。各隔壁５０は、それぞれの開口端が散水部材３０の裏面に接着等により接合されてこれに一体化される。以下、外側から内側にかけての隔壁５０を区別するときは第１隔壁５０Ａ、第２隔壁５０Ｂ、第３隔壁５０Ｃという。
【００２２】
複数の隔壁５０には、それぞれの横壁部５３に挿通孔５５が形成される。各隔壁５０の挿通孔５５は散水部材３０の通水口３９と同軸上に設けられる。各挿通孔５５内には弁体７０が縦方向Ｙに摺動可能に挿通される。このとき弁体７０は散水部材３０に近接離間する方向（縦方向Ｙ）に変位する。
【００２３】
複数の隔壁５０は、ヘッド部２３の内部空間を複数に仕切り、複数の連通路５７Ａ、５７Ｂが形成される。第１隔壁５０Ａと第２隔壁５０Ｂの間には第１連通路５７Ａが形成される。第２隔壁５０Ｂと第３隔壁５０Ｃの間には第２連通路５７Ｂが形成される。第１隔壁５０Ａとヘッド部２３の内壁面との間には通水路２５の一部が形成され、第３隔壁５０Ｃと散水部材３０の間には収容室５９が形成される。通水路２５と各連通路５７の間には弁体７０が移動可能な空間６１が設けられる。以下、各連通路５７Ａ、５７Ｂを総称するときは連通路５７という。
【００２４】
各連通路５７は、弁体７０が移動可能な空間６１に向けてそれぞれの流入口６３が開口し、それぞれの流入口６３が弁体７０の変位方向（縦方向Ｙ）に沿って並べて形成される。第１連通路５７Ａは、その下流側に第１吐水部３１Ａが設けられ、第１吐水部３１Ａの吐水口４１に連通される。第２連通路５７Ｂは、その下流側に第２吐水部３１Ｂが設けられ、第２吐水部３１Ｂの吐水口４１に連通される。
【００２５】
弁体７０は有底筒状の棒体により構成される。弁体７０は軸方向の一方の底部を散水部材３０側に向けて配置される。弁体７０の底部には副吐水部３１Ｓが設けられる。副吐水部３１Ｓには複数の吐水口４１が形成される。弁体７０の内部には副吐水部３１Ｓの吐水口４１に連通される導水路７１が形成される。導水路７１は散水部材３０とは反対側の端部が開口しており、副吐水部３１Ｓの吐水口４１は導水路７１を介して上流側の通水路２５に連通される。
【００２６】
付勢部材８０はコイルばねであり、ヘッド部２３の収容室５９内に収容される。付勢部材８０は、弁体７０の底部と散水部材３０の裏面の間に介装される。付勢部材８０は弁体７０を軸方向の一方に向けて付勢する。この付勢方向は通水路２５に近づくような縦方向Ｙに沿う方向となる。弁体７０の外周部には底部寄りの位置に第１ストッパ７３が突出して設けられる。弁体７０は、付勢部材８０の付勢力により第３隔壁５０Ｃの横壁部５３と第１ストッパ７３が係合する初期位置に保持される。弁体７０が初期位置に保持されるとき、各連通路５７Ａ、５７Ｂの流入口６３は弁体７０の外側面７５により閉じられ、通水路２５と各連通路５７Ａ、５７Ｂは弁体７０を介して隔てられる。このとき、弁体７０は、各連通路５７Ａ、５７Ｂの流入口６３の周縁部である各隔壁５０の挿通孔５５の内壁面に対して、その外側面７５を接触させて流入口６３を閉じる。
【００２７】
通水口３９は、収容室５９内の空間と外部空間を連通する通気孔として機能する。収容室５９内は、通水口３９により大気圧に保たれる。よって、弁体７０が変位したとき、収容室５９内の空間が高圧にならず、弁体７０の変位の抵抗となるのを抑えられる。
【００２８】
図２に示すように、第１吐水部３１Ａと第２吐水部３１Ｂのそれぞれには合計１２個の吐水口４１が形成され、副吐水部３１Ｓには合計６個の吐水口４１が形成される。各吐水部３１Ａ、３１Ｂ、３１Ｓの吐水口４１は同じ開口径φ１［ｍｍ］に形成される。以下、各吐水部３１Ａ、３１Ｂ、３１Ｓを総称するときは吐水部３１という。
【００２９】
次に、本実施形態に係る吐水装置１０の動作を説明する。図３は通水路２５に水が供給されたときの水の流れを示す図である。水の流れる方向を矢印Ｐで示す。
【００３０】
図３（ａ）に示すように、弁体７０が初期位置にあるとき、給水装置からシャワーホース２９を介して通水路２５に水が供給されると、通水路２５から導水路７１を介して副吐水部３１Ｓの各吐水口４１に通水される。副吐水部３１Ｓの各吐水口４１からは散水部材３０の通水口３９を通して水が吐き出される。副吐水部３１Ｓの各吐水口４１からは、通水路２５に水が供給されたとき、弁体７０の変位量によらず常時吐水される。
【００３１】
また、通水路２５に水が供給されると、その水の水圧が弁体７０の開口端面や内底面に作用し、その水圧に応じて弁体７０が縦方向Ｙに変位する。弁体７０は、図３（ｂ）に示すように、初期位置から付勢部材８０の付勢力に抗して変位し、その変位量が大きくなると第１連通路５７Ａの流入口６３が開かれ、通水路２５から第１連通路５７Ａに通水される。これにより、第１吐水部３１Ａの各吐水口４１から水が吐き出される。
【００３２】
図３（ｃ）に示すように、弁体７０の変位量が更に大きくなると第２連通路５７Ｂの流入口６３が開かれ、通水路２５から第１連通路５７Ａとともに第２連通路５７Ｂにも通水される。これにより、第２吐水部３１Ｂの各吐水口４１からも水が吐き出される。
【００３３】
このように、弁体７０が変位したとき、各連通路５７の流入口６３が弁体７０により開閉され、その変位量に応じて各連通路５７に対する通水の有無である通水状態が切り替えられる。弁体７０は、その変位量が増大するほど、通水される連通路５７の数が増大するように各連通路５７の通水状態を切り替える。各連通路５７の通水状態の切り替えにより、複数の吐水部３１からの吐水パターンが３段階に切り替えられる。
【００３４】
１段目の吐水パターンでは、副吐水部３１Ｓの各吐水口４１から水が吐き出る。２段目の吐水パターンでは、副吐水部３１Ｓと第１吐水部３１Ａの各吐水口４１から水が吐き出る。３段目の吐水パターンでは、副吐水部３１Ｓ、第１吐水部３１Ａ及び第２吐水部３１Ｂの各吐水口４１から水が吐き出る。水を吐き出す吐水口４１の数は、１段目の吐水パターンでは６個となり、２段目の吐水パターンでは１８個となり、３段目の吐水パターンでは３０個となる。各吐水部３１の吐水口４１は同じ開口径φ１であるので、流量が小さいときの吐水パターンでは水を吐き出す吐水口４１の総開口面積［ｍｍ２］が小さくなり、流量が大きいときの吐水パターンではその総開口面積が大きくなる。なお、ここでの吐水口４１の開口面積とは、吐水口４１の中心軸線に直交する断面での吐水口４１の断面積をいう。
【００３５】
以上の吐水装置１０によれば、各連通路５７の通水状態を単一の弁体７０により切り替えられ、水を吐き出す吐水口４１の総開口面積を３段階以上に切り替えるうえで複数の弁体７０が不要となる。よって、部品点数の抑制により装置全体を小型化しつつ製造コストを低減できる。
【００３６】
また、各連通路５７の流入口６３が弁体７０の変位方向に沿って並べて形成され、弁体７０が変位したとき、各連通路５７の流入口６３が弁体７０により開閉される。よって、複雑な機構を要さずに各連通路５７の通水状態を切り替えられる。
【００３７】
［第２の実施の形態］
図４は第２実施形態に係る吐水装置１０の部分断面側面図を示す。図５は第２実施形態に係る散水部材３０の外観を示す正面図である。以下、前述の実施形態で説明した要素と同一の要素に同一の符号を付し、重複する説明を省略する。
【００３８】
散水部材３０の第２吐水部３１Ｂは、図５に示すように、環状に配列される複数の吐水口４１を単位列として、複数列の吐水口４１が径方向に間隔を空けて同心状に配列される。第１吐水部３１Ａには合計１２個の吐水口４１が形成され、第２吐水部３１Ｂには合計２４個の吐水口４１が形成され、副吐水部３１Ｓには合計６個の吐水口４１が形成される。各吐水部３１の吐水口４１は同じ開口径φ１［ｍｍ］に形成される。
【００３９】
図４に示すように、弁体７０の外周部には外内を連通する複数の通孔７７が形成される。各通孔７７は弁体７０の軸方向の同じ高さ位置に形成される。弁体７０が変位したとき、各連通路５７は各通孔７７と導水路７１を通して上流側の通水路２５に連通される。各通孔７７の変位方向（縦方向Ｙ）での開口寸法は、各隔壁５０の横壁部５３の厚さ寸法より小さくなるように形成される。これにより、弁体７０が変位したとき、各連通路５７の何れかのみが通孔７７を通して上流側の通水路２５に連通される。
【００４０】
弁体７０の外周部は、散水部材３０とは反対側の端部寄りの位置に第２ストッパ７９が突出する。弁体７０が初期位置から縦方向Ｙに変位したとき、第１隔壁５０Ａの横壁部５３と第２ストッパ７９が係合する規制位置を超える変位が規制される。
【００４１】
本実施形態に係る吐水装置１０の動作を説明する。以下、前述の実施形態で説明した動作との相違点を中心に説明する。
【００４２】
図６（ａ）に示すように、弁体７０が初期位置にあるとき、通水路２５に水が供給されると、副吐水部３１Ｓの各吐水口４１から、散水部材３０の通水口３９を通して水が吐き出される。
【００４３】
図６（ｂ）に示すように、弁体７０が初期位置から変位して、第１連通路５７Ａの流入口６３と弁体７０の通孔７７との変位方向（縦方向Ｙ）での位置が合致すると、第１連通路５７Ａの流入口６３が開かれる。通水路２５から導水路７１を介して下流側の第１連通路５７Ａに通水され、第１吐水部３１Ａの各吐水口４１から水が吐き出される。
【００４４】
図６（ｃ）に示すように、弁体７０の変位量が更に大きくなり、第２連通路５７Ｂの流入口６３と弁体７０の通孔７７との変位方向での位置が合致すると、第２連通路５７Ｂの流入口６３が開かれる。通水路２５から導水路７１を介して下流側の第２連通路５７Ｂに通水され、第２吐水部３１Ｂの各吐水口４１から水が吐き出される。このとき、第１連通路５７Ａの流入口６３は閉じられ、第１吐水部３１Ａの各吐水口４１からの水の吐き出しが止まる。
【００４５】
このように弁体７０は、その変位量に応じて通水される連通路５７を個別に切り替える。１段目の吐水パターンでは、副吐水部３１Ｓの各吐水口４１から水が吐き出る。２段目の吐水パターンでは、副吐水部３１Ｓと第１吐水部３１Ａの各吐水口４１から水が吐き出る。３段目の吐水パターンでは、副吐水部３１Ｓと第２吐水部３１Ｂの各吐水口４１から水が吐き出る。水を吐き出す吐水口４１の数は、１段目の吐水パターンでは６個となり、２段目の吐水パターンでは１８個となり、３段目の吐水パターンでは３０個となる。このように各連通路５７の通水の有無を個別に切り替えて、水を吐き出す吐水口４１の総開口面積を増減させてもよい。
【００４６】
［第３の実施の形態］
図７は第３実施形態に係る吐水装置１０の散水部材３０の外観を示す正面図である。散水部材３０の第２吐水部３１Ｂは、環状に配列される複数の吐水口４１を単位列として、一列の吐水口４１が配列される。第２吐水部３１Ｂの吐水口４１は、第１吐水部３１Ａや副吐水部３１Ｓの吐水口４１の口径φ１の２倍の口径φ２［ｍｍ］に形成される。この場合、図６（ｃ）の３段目の吐水パターンのとき、水を吐き出す吐水口４１の総開口面積が第２実施形態と同じとなる。このように、吐水口４１の総開口面積を変化させるうえでは、各吐水部３１の吐水口４１の数ではなく口径を変化させてもよい。
【００４７】
［第４の実施の形態］
図８は第４実施形態に係る吐水装置１０の部分断面側面図を示す。第１実施形態では隔壁５０として第１隔壁５０Ａ〜第５隔壁５０Ｅが設けられる。第１隔壁５０Ａと第２隔壁５０Ｂの間には第１連通路５７Ａが形成される。第２隔壁５０Ｂと第３隔壁５０Ｃの間には第２連通路５７Ｂが形成される。第３隔壁５０Ｃと第４隔壁５０Ｄの間には第３連通路５７Ｃが形成される。第４隔壁５０Ｄと第５隔壁５０Ｅの間には第４連通路５７Ｄが形成される。
【００４８】
散水部材３０は、第１吐水部３１Ａと、第２吐水部３１Ｂと、出水部３７の他に、第３吐水部３１Ｃと、第４吐水部３１Ｄとを有する。第３吐水部３１Ｃは第２吐水部３１Ｂの内周側に設けられる環状部分である。第４吐水部３１Ｄは、第３吐水部３１Ｃの内周側に設けられる環状部分である。本図では二点鎖線Ｓ３、Ｓ４で囲む範囲がそれぞれ第３吐水部３１Ｃ、第４吐水部３１Ｄとなる。各吐水部３１には、周方向に等角度間隔を空けて環状に配列される複数の吐水口４１が形成される。
【００４９】
以上の吐水装置１０では、弁体７０が変位したとき、各連通路５７の流入口６３が弁体７０により開閉され、その変位量に応じて第１連通路５７Ａ〜第４連通路５７Ｄに対する通水状態が切り替えられる。各連通路５７の通水状態の切り替えにより、複数の吐水部３１からの吐水パターンが五段階に切り替えられる。このように、連通路５７の数を増加させるうえで弁体７０の数が増加しないので、連通路５７の数を多くしても装置全体を比較的に小型化できる。
【００５０】
［第５の実施の形態］
図９は第５実施形態に係る吐水装置１０を示す正面図である。吐水部材２０のヘッド部２３は、横方向Ｘに直線状に延びる筒状に形成され、その先端側が閉塞される。
【００５１】
散水部材３０は横方向Ｘに延びる直線形の平板状に形成される。散水部材３０は、ヘッド部２３の先端側から基端側にかけて順に副吐水部３１Ｓと、第１吐水部３１Ａと、第２吐水部３１Ｂと、第３吐水部３１Ｃを有する。各吐水部３１は散水部材３０に横方向Ｘに間隔を空けて取り付けられる矩形状の板状部材である。各吐水部３１には複数の吐水口４１が形成される。
【００５２】
図１０は吐水装置１０の部分断面側面図を示す。本図では弁体７０が初期位置にある状態を示す。散水部材３０の内側には第１吐水部３１Ａ〜第３吐水部３１Ｃの何れかの吐水口４１に連通される連通路５７が複数形成される。第１吐水部３１Ａの内側には、その各吐水口４１に連通される第１連通路５７Ａが形成される。第２吐水部３１Ｂの内側には、その各吐水口４１に連通される第２連通路５７Ｂが形成される。第３吐水部３１Ｃの内側には、その各吐水口４１に連通される第３連通路５７Ｃが形成される。
【００５３】
ヘッド部２３の内側には隔壁５０が配置され、その内部が通水路２５の一部と収容室５９に仕切られる。通水路２５は、把持部２１の内側からヘッド部２３の先端側にかけて横方向Ｘに延びるように設けられる。収容室５９は、ヘッド部２３の内部において横方向Ｘに直線状に延びるように設けられ、その横方向Ｘの一方が通水路２５と連通し、その横方向の他方に底部が設けられる。収容室５９の内側には弁体７０が配置される。
【００５４】
弁体７０は有底筒状の棒体により構成される。弁体７０は軸方向の一方（図示左側）の底部を収容室５９の底部側に向けて配置される。弁体７０は収容室５９内に横方向Ｘに摺動可能に挿通される。弁体７０の底部には第１実施形態のような副吐水部３１Ｓがない。
【００５５】
付勢部材８０は、収容室５９の底部の壁面と弁体７０の底部の間に介装される。付勢部材８０は弁体７０の軸方向の一方（図示右側）に向けて弁体７０を付勢する。この付勢方向は通水路２５に近づく方向となる。弁体７０は、付勢部材８０の付勢力により、隔壁５０に形成される段部６５と第１ストッパ７３が係合する初期位置に保持される。弁体７０が初期位置に保持されるとき、第１連通路５７Ａの流入口６３は弁体７０の外側面７５により閉じられる。また、第２連通路５７Ｂ、第３連通路５７Ｃの流入口６３は、通水路２５との間の収容室５９が弁体７０により遮断される。これにより、通水路２５と各連通路５７は弁体７０を介して隔てられる。
【００５６】
各連通路５７の流入口６３は、弁体７０が移動可能な空間である収容室５９に開口しており、弁体７０の変位方向（横方向Ｘ）に沿って並べて設けられる。
【００５７】
次に、本実施形態に係る吐水装置１０の動作を説明する。図１１は通水路２５に水が供給されたときの水の流れを示す図である。水の流れる方向を矢印Ｐで示す。
【００５８】
図１１（ａ）に示すように、弁体７０が初期位置にあるとき、通水路２５に水が供給されると、通水路２５から散水部材３０の副吐水部３１Ｓの各吐水口４１に通水され、各吐水口４１から常時水が吐き出される。
【００５９】
また、通水路２５に水が供給されると、その水の水圧が弁体７０の開口端面や内底面に作用し、その水圧に応じて弁体７０が横方向Ｘに直線状に変位する。図１１（ｂ）に示すように、弁体７０の変位量が大きくなると、第１連通路５７Ａの流入口６３が開かれ、通水路２５から第１連通路５７Ａに通水される。第１連通路５７Ａに通水されると、第１吐水部３１Ａの各吐水口４１から水が吐き出される。
【００６０】
また、弁体７０の変位量が更に大きくなると、図１１（ｃ）に示すように、第２連通路５７Ｂの流入口６３、第３連通路５７Ｃの流入口６３が順に開かれ、通水路２５から各連通路５７に通水される。各連通路５７に通水されると、各連通路５７に対応する第２吐水部３１Ｂや第３吐水部３１Ｃの吐水口４１から水が吐き出される。
【００６１】
各連通路５７の通水状態の切り替えにより、各吐水部３１からの吐水パターンが４段階に切り替えられる。各吐水パターンでは段数が増大するほど、水が吐き出る吐水部３１が副吐水部３１Ｓ、第１吐水部３１Ａ、第２吐水部３１Ｂ、第３吐水部３１Ｃの順で増大する。各吐水部３１からの吐水範囲は、弁体７０の変位量に応じて弁体７０の変位方向（横方向Ｘ）に沿って直線状に増減する。
【００６２】
なお、吐水部材２０の散水部材３０には通気孔４３が形成される。通気孔４３は、図１１（ａ）、（ｃ）に示すように、弁体７０が初期位置にあるときと、弁体７０が全ての連通路５７Ａ〜５７Ｃの流入口６３を開く位置（以下、全開位置という）にあるときの両方のときに、収容室５９の底部側空間と外部空間を連通する位置に形成される。収容室５９内は、弁体７０が初期位置から全開位置の間を変位するとき、その変位量によらず通気孔４３により大気圧に保たれる。よって、弁体７０が変位したとき、収容室５９内の空間が高圧にならず、弁体７０の変位の抵抗となるのを抑えられる。
【００６３】
以上の吐水装置１０によれば、第１実施形態に係る吐水装置１０と同様の作用効果を得られる。また、通水路２５での水圧の変化に応じて、吐水部材２０の各吐水部３１からの吐水範囲が横方向Ｘに沿って増減し、その吐水範囲を吐水装置１０の使用者が目視で容易に確認できる。よって、現在の流量を使用者がおおよそ把握でき、吐水装置１０に用いる水の使用量が過度に大きくならないように利用することで節水意識の向上が図られる。また、使用者の使用目的や好みに応じて吐水範囲を調整でき、使用者にとっての利便性が向上する。
【００６４】
［第６の実施の形態］
図１２は第６実施形態の吐水装置１０の外観を示す正面図である。吐水部材２０のヘッド部２３は、横方向Ｘと平行な面と略平行となるように曲線状に延びる筒状に形成され、その先端側が閉塞される。
【００６５】
散水部材３０は、ヘッド部２３の延びる方向Ｑに延びる円弧形の平板状に形成される。散水部材３０には、ヘッド部２３の基端側から先端側にかけて順に副吐水部３１Ｓと、第１吐水部３１Ａと、第２吐水部３１Ｂと、第３吐水部３１Ｃを有する。各吐水部３１は散水部材３０に間隔を空けて取り付けられる円形状の板状部材である。各吐水部３１には複数の吐水口４１が形成される。各吐水部３１Ａ〜３１Ｃの内側には図示しない第１連通路５７Ａ〜第３連通路５７Ｃが形成される。
【００６６】
図１３は吐水装置１０の正面断面図である。本図では第１連通路５７Ａ〜第３連通路５７Ｃのそれぞれが形成される範囲を二点鎖線Ｒ１〜Ｒ３で示す。図示の位置に対して紙面手前側に各連通路５７と、これに対応する吐水部３１が設けられる。通水路２５は、把持部２１の内側からヘッド部２３の基端側に設けられる。収容室５９は、ヘッド部２３の内部において曲線状に方向Ｑに延びるように設けられる。
【００６７】
通水路２５に水が供給されると、その水の水圧により、弁体７０は方向Ｑに曲線状に変位する。この弁体７０の変位により、第１連通路５７Ａ〜第３連通路５７Ｃが順に開かれ、通水路２５から各連通路５７に通水される。各連通路５７に通水されると、各連通路５７に対応する各吐水部３１Ａ〜３１Ｃの吐水口４１から水が吐き出される。各吐水部３１からの吐水範囲は、弁体７０の変位量に応じて弁体７０の変位方向（方向Ｑ）に沿って曲線状に増減する。
【００６８】
以上の吐水装置１０によれば、第１実施形態や第５実施形態と同様の作用効果を得られる。
【００６９】
［第７の実施の形態］
図１４は第７実施形態の吐水装置１０の外観を示す正面図である。吐水部材２０のヘッド部２３は半円状に形成され、その内部が中空に形成される。
【００７０】
散水部材３０は、半円形の平板状に形成される。散水部材３０には、ヘッド部２３の中央部から外周部にかけて順に副吐水部３１Ｓと、第１吐水部３１Ａと、第２吐水部３１Ｂを有する。各吐水部３１は散水部材３０の周方向に沿って延びる扇状の板状部材であり、各吐水部３１は径方向に間隔を空けて取り付けられる。各吐水部３１には複数の吐水口４１が形成される。
【００７１】
図１５は図１４のＡ−Ａ線断面図である。ヘッド部２３の内側には複数の隔壁５０が配置され、その内部が通水路２５の一部と第１連通路５７Ａと、第２連通路５７Ｂに仕切られる。通水路２５は、把持部２１の内側からヘッド部２３の中央部に延びるように設けられる。通水路２５は、その下流側において副吐水部３１Ｓの吐水口４１と連通される。第１連通路５７Ａは、その下流側に第１吐水部３１Ａが設けられ、第１吐水部３１Ａの吐水口４１に連通される。第２連通路５７Ｂは、その下流側に第２吐水部３１Ｂが設けられ、第２吐水部３１Ｂの吐水口４１に連通される。通水路２５と各連通路５７の間には弁体７０が移動可能な空間６１が設けられる。
【００７２】
通水路２５に水が供給されると、その水の水圧により、弁体７０は縦方向Ｙに直線状に変位する。この弁体７０の変位により、第１連通路５７Ａ、第２連通路５７Ｂが順に開かれ、通水路２５から各連通路５７に通水される。各連通路５７に通水されると、各連通路５７に対応する各吐水部３１の吐水口４１から水が吐き出される。各吐水部３１からの吐水範囲は、弁体７０の変位量に応じて、中央部から外周部に向けて径方向に増減する。
【００７３】
以上の吐水装置１０によれば、第１実施形態や第５実施形態に係る吐水装置１０と同様の作用効果を得られる。
【００７４】
［第８の実施の形態］
図１６は第８実施形態の吐水装置１０の部分断面側面図を示す。本実施形態に係る吐水装置１０は、第１実施形態に係る吐水装置１０と比較して、計測部９０と、弁駆動機構１００を更に備える。計測部９０は吐水部材２０の把持部２１に設置される。計測部９０は羽根車式流量計等の流量計であり、通水路２５に供給される水の流量を検出する。
【００７５】
弁駆動機構１００は送りねじ機構である。弁駆動機構１００は、駆動モータ１０１と、ねじ軸１０３と、移動ナット１０５を有する。駆動モータ１０１はヘッド部２３の内壁面に取り付けられる。移動ナット１０５はねじ軸１０３に螺合され、弁体７０に取り付けられる。駆動モータ１０１の駆動によりねじ軸１０３が回転すると、その回転により移動ナット１０５が移動し、弁体７０が縦方向Ｙに変位する。
【００７６】
図１７は吐水装置１０の制御系を示す機能ブロック図である。吐水装置１０は、弁体７０と、計測部９０と、弁駆動機構１００の他に、制御部１１０を備える。
【００７７】
計測部９０は通水路２５に供給される水の流量を検出し、その検出値を制御部１１０に出力する。制御部１１０はマイクロコンピュータにより構成される。制御部１１０は吐水部材２０に搭載される。制御部１１０は計測部９０からの出力信号に基づき駆動モータ１０１に制御信号を出力し、駆動モータ１０１の駆動により弁駆動機構１００を用いて弁体７０を変位させて、その変位量を制御する。
【００７８】
制御部１１０は、通水路２５での水の流量が予め定められた流量Ｑ１になったとき、第１連通路５７Ａの流入口６３が開くように、弁体７０の変位量を制御する。また、制御部１１０は、通水路２５での水の流量が流量Ｑ１より大きい予め定められた流量Ｑ２になったとき、第２連通路５７Ｂの流入口６３が開くように、弁体７０の変位量を制御する。このように制御部１１０は、通水路２５での流量の増減に応じて弁体７０の変位量を制御して、各連通路５７を開閉する。
【００７９】
以上の吐水装置１０でも、第１実施形態に係る吐水装置１０と同様の作用効果を得られる。なお、本実施形態では、弁駆動機構１００として送りねじ機構を説明したが、これに限られず、この他にラックアンドピニオン等が用いられてもよい。また、計測部９０は通水路２５に供給される水の流量を検出する流量計を説明したが、通水路２５の水の水圧を検出する水圧計でもよい。
【００８０】
［第９の実施の形態］
図１８は第９実施形態に係る吐水装置１０の部分断面側面図を示す。吐水装置１０は、第５実施形態に係る吐水装置１０と比較して、吐水口４１と連通路５７が単一の孔の一部として一体に形成される点で異なる。
【００８１】
散水部材３０の第１吐水部３１Ａ〜第３吐水部３１Ｃ、副吐水部３１Ｓは散水部材３０に一体に設けられる。第１吐水部３１Ａ〜第３吐水部３１Ｃにはそれぞれ一つの吐水口４１が形成される。散水部材３０には各吐水部３１Ａ〜３１Ｃの吐水口４１に連通される連通路５７が複数形成される。第１吐水部３１Ａには、その吐水口４１に連通される第１連通路５７Ａが形成される。第２吐水部３１Ｂ、第３吐水部３１Ｃも同様に、それらの吐水口４１に連通される第２連通路５７Ａ、第３連通路５７Ｃが形成される。連通路５７は散水部材３０に形成される孔の内側に形成され、吐水口４１はその孔の開口縁として形成される。この吐水装置１０によっても、第１実施形態や第５実施形態と同様の作用効果を得られる。
【００８２】
次に、上述の吐水装置１０を用いて、吐水部材２０の通水路２５に水が供給されたときの流速を調整するための設計的手法を説明する。
【００８３】
図１９は吐水部材２０の通水路２５に水が供給されたときの流量Ｑ［ｍｍ３／秒］と流速Ｖ［ｍｍ／秒］の関係を示すグラフである。以下、この流量Ｑの変化に対する流速Ｖの変動特性を流速特性という。
【００８４】
第１実施形態に係る吐水装置１０では、予め定められた流量Ｑ１、Ｑ２のときに吐水パターンが切り替わるようように構成される。この切り替えのため、弁体７０の位置、各連通路５７の流入口６３の位置や付勢部材８０の付勢力が調整される。
【００８５】
ここで、副吐水部３１Ｓ、第１吐水部３１Ａ、第２吐水部３１Ｂのそれぞれの吐水口４１の総開口面積をＡ１、Ａ２、Ａ３とする。１段目の吐水パターンでは副吐水部３１Ｓから、２段目の吐水パターンでは副吐水部３１Ｓと第１吐水部３１Ａから、３段目の吐水パターンでは副吐水部３１Ｓと第１吐水部３１Ａと第２吐水部３１Ｂから、水が吐き出される。よって、１段目〜３段目の吐水パターンは、下記の式（１１）〜（１３）を満たすような流速特性となる。本図では各式に対応する流速特性を二点鎖線Ｌ１〜Ｌ３で示す。
Ｖ＝Ｑ／Ａ１  ・・・  （１１）
Ｖ＝Ｑ／（Ａ１＋Ａ２）  ・・・  （１２）
Ｖ＝Ｑ／（Ａ１＋Ａ２＋Ａ３）  ・・・  （１３）
【００８６】
ここで、流量がゼロ以上Ｑ１未満のときに１段目の吐水パターンとなり、Ｑ１以上Ｑ２未満のときに２段目の吐水パターンとなり、Ｑ２以上のときの３段目の吐水パターンとなる。よって、吐水装置１０では、各二点鎖線Ｌ１〜Ｌ３を組み合わせた実線Ｌ０のような流速特性となる。
【００８７】
ここで、最前段である１段目の吐水パターンでは、その取り得る流速範囲が予め定められる上限値Ｖｍａｘ以下となるように、副吐水部３１Ｓでの吐水口４１の総開口面積Ａ１が定められる。また、最後段である３段目の吐水パターンでは、その取り得る流速範囲が予め定められる下限値Ｖｍｉｎ以上となるように、副吐水部３１Ｓ、第１吐水部３１Ａ、第２吐水部３１Ｂでの吐水口４１の総開口面積Ａ１＋Ａ２＋Ａ３が定められる。また、途中段である２段目の吐水パターンでは、その取り得る流速範囲が下限値Ｖｍｉｎ以上、上限値Ｖｍａｘ以下となるように、副吐水部３１Ｓ、第１吐水部３１Ａでの吐水口４１の総開口面積Ａ１＋Ａ２が定められる。
【００８８】
これにより、各吐水パターンでの流速範囲の偏りを小さくできる。よって、広い流量範囲において、小流速による当たり具合の低下や、大流速による水はねの発生を抑え、安定した使用感が得られる。
【００８９】
なお、従来の吐水部材、つまり、吐水口４１の総開口面積Ａ０［ｍｍ２］が流量や水圧によらず一定の吐水部材では、下記の式（１０）を満たすような流速特性となる。本図ではこの流速特性を一点鎖線で示す。このように、従来の吐水部材では、低流量では高流速にし難く、高流量では低流速にし難くなる。
Ｖ＝Ｑ／Ａ０  ・・・  （１０）
【００９０】
図２０は第１変形例に係る吐水装置１０での流速特性を示す。吐水装置１０では、予め定められた流量Ｑ１〜Ｑ４のときに吐水パターンが切り替わるように構成される。吐水パターンは５段階に切り替わる。各吐水パターンのときに水が吐き出される吐水口４１の総開口面積をそれぞれＡａ〜Ａｅとする。第１実施形態では、各吐水パターンでの総開口面積を、吐水口４１の数の増減により調整したが、その開口径の増減により調整してもよい。
【００９１】
各段での吐水パターンの取り得る流速範囲は、１段目ではＶ１ｍａｘ以下となり、５段目ではＶ５ｍｉｎ以上となるように、総開口面積Ａａ、Ａｅがそれぞれ定められる。また、２段目〜４段目のそれぞれでは、Ｖ２ｍｉｎ以上Ｖ２ｍａｘ以下、Ｖ３ｍｉｎ以上Ｖ３ｍａｘ以下、Ｖ４ｍｉｎ以上Ｖ４ｍａｘ以下となるように、総開口面積Ａｂ〜Ａｄが定められる。
【００９２】
ここで、２段目以上の途中段の吐水パターンでは、各段での吐水パターンの最大値が１つ前段での吐水パターンの最大値より低くなる。たとえば、２段目の吐水パターンの最大値Ｖ２ｍａｘは１段目の吐水パターンの最大値Ｖ１ｍａｘより低くなる。また、３段目の吐水パターンの最大値Ｖ３ｍａｘは２段目の吐水パターンの最大値Ｖ２ｍａｘより低くなる。また、３段目以上の吐水パターンでは、最小値が１つ前段での吐水パターンの最小値より低くなる。たとえば、４段目の吐水パターンの最小値Ｖ４ｍｉｎは３段目の吐水パターンの最小値Ｖ３ｍｉｎより低くなる。また、最後段である５段目の吐水パターンの最小値Ｖ５ｍｉｎは４段目の吐水パターンの最小値Ｖ４ｍｉｎより低くなる。この流速範囲となるように総開口面積Ａａ〜Ａｅが定められる。
【００９３】
以上の吐水装置１０によれば、各吐水パターンでの流速範囲の上限値や下限値が徐々に下がるような流速特性にできる。これにより、たとえば、小流量のときは大流速にし易くし、シャワー水の当たり具合を比較的に強くし易くなり、マッサージ機能を付加できる。また、大流量のときは小流速にし易くし、水はねの発生を抑えつつも使用者にあたる総流量を大きくして、シャワー水を当てる箇所にシャワー水がまとわるような使用感を与え易くなる。
【００９４】
図２１は第２変形例に係る吐水装置１０での流速特性を示す。吐水装置１０では、２段目以上の吐水パターンでは、各段での吐水パターンの最小値が１つ前段の吐水パターンの最大値より高くなる。たとえば、２段目の吐水パターンでは、その最小値Ｖ２ｍｉｎが１段目の吐水パターンの最大値Ｖ１ｍａｘより高くなる。また、５段目の吐水パターンでは、その最小値Ｖ５ｍｉｎが４段目の吐水パターンの最大値Ｖ４ｍａｘより高くなる。この流速範囲となるように総開口面積Ａ１〜Ａ５が定められる。
【００９５】
以上の吐水装置１０によれば、各吐水パターンでの流速範囲の上限値や下限値が徐々に上がるような流速特性にできる。これにより、たとえば、小流量のときは小流速にし易くし、浴室等の壁面に付着した洗剤等を洗い流す場合に水はねを抑えつつ洗い流し易くできる。また、大流量のときは大流速にし易くし、浴室等の壁面にこびりついた汚れをシャワー水で掻き落とし易くできる。
【００９６】
以上のように、本実施形態に係る吐水装置１０によれば、各連通路５７の数や、吐水口４１の数、大きさの調整により、流量に応じたシャワー水の流速を任意に調整できる。
【００９７】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００９８】
吐水部材２０は、上述の実施形態において、シャワーホース２９に接続されたシャワーヘッドを例に説明したが、洗面カウンター等に固定されたスパウト等でもよい。連通路５７は、複数の吐水部３１のいずれかの吐水口４１に連通されるものが少なくとも２つ形成されていればよい。弁体７０は中空断面の有底筒状の棒体により構成される例を挙げたが、中実断面の棒体により構成されてもよい。付勢部材８０は、弁体７０を初期位置に向けて付勢できればよく、コイルばねの他に定荷重ばね等の各種ばね部材で構成されてもよいし、ゴム等の弾性体の他、これらを組み合わせたものにより構成されてもよい。
【符号の説明】
【００９９】
１０…吐水装置、２０…吐水部材、２５…通水路、３１…吐水部、４１…吐水口、５７…連通路、６１…空間、６３…流入口、７０…弁体。
【図１】
2015188621.tif 000003
【図２】
2015188621.tif 000004
【図３】
2015188621.tif 000005
【図４】
2015188621.tif 000006
【図５】
2015188621.tif 000007
【図６】
2015188621.tif 000008
【図７】
2015188621.tif 000009
【図８】
2015188621.tif 000010
【図９】
2015188621.tif 000011
【図１０】
2015188621.tif 000012
【図１１】
2015188621.tif 000013
【図１２】
2015188621.tif 000014
【図１３】
2015188621.tif 000015
【図１４】
2015188621.tif 000016
【図１５】
2015188621.tif 000017
【図１６】
2015188621.tif 000018
【図１７】
2015188621.tif 000019
【図１８】
2015188621.tif 000020
【図１９】
2015188621.tif 000021
【図２０】
2015188621.tif 000022
【図２１】
2015188621.tif 000023